(57)【特許請求の範囲】
【請求項１】
一端部に毛髪取り込み口を有する筒状体からなる細長形状の毛髪保持具であって、
前記毛髪取り込み口には、直筒部を有する取り込み口補強部材が、該直筒部を該毛髪取り込み口の内周面に接合させて設けられており、
前記取り込み口補強部材における毛髪が取り込まれる側の端縁部の内周縁及び外周縁は、尖鋭部分を有しておらず、
前記筒状体は、該筒状体の半分を形成する帯状シート２枚から形成されており、
前記取り込み口補強部材は、前記２枚の帯状シートに対応して二分された形状を有する２個の補強部材片からなり、
前記筒状体は、一方の前記帯状シートにおける前記一端部に一方の前記補強部材片を接合させて設け、他方の前記帯状シートにおける前記一端部に他方の前記補強部材片を接合させて設け、一方の前記補強部材片が設けられた一方の前記帯状シートの両側縁部と、 他方の前記補強部材片が設けられた他方の前記帯状シートの両側縁部とを接合して形成されている毛髪保持具。
【請求項２】
前記取り込み口補強部材の前記端縁部は、前記直筒部の横断面中心から外方に向けて鍔状に延出している請求項１記載の毛髪保持具。
【請求項３】
前記取り込み口補強部材は、前記直筒部の横断面外方から中心に向けて押圧して該直筒部をその内周面同士が当接するまで変形させるのに要する変形力が、０．５Ｎ〜１０Ｎである請求項１又は２に記載の毛髪保持具。
【請求項４】
前記取り込み口補強部材の前記端縁部の前記内周縁及び前記外周縁は、丸みを設けることにより、前記尖鋭部分を有さないようになっており、該丸みの大きさは、Ｒ０．５〜Ｒ１０である請求項１〜３の何れかに記載の毛髪保持具。
【発明の詳細な説明】
【技術分野】
【０００１】
本発明は、パーマ等により毛髪にカールを付与する場合に、毛髪を所定の形状に巻回するときの補助具として用いられる毛髪保持具に関する。
【背景技術】
【０００２】
下記特許文献１には、一端部に毛髪取り込み口を有する筒状体からなる細長形状の毛髪保持具において、筒状体への毛髪の取り込み性（挿入性）を向上させるために、毛髪取り込み口を高剛性としたり、毛髪取り込み口を漏斗状の形状としたり、毛髪保持具とは別体の挿入補助具を用いることが記載されている。このような毛髪保持具によれば、毛髪を筒状体内にスムーズに取り込んだ後、毛髪を筒状体と共に巻き上げることができる。そして、その状態で毛髪処理剤を筒状体に付与することにより、筒状体内の毛髪にパーマ等の毛髪処理を施すことができる。
【０００３】
また、下記特許文献２には、上記特許文献１記載の毛髪保持具と同様に、筒状体への毛髪の取り込み性を向上させるために、毛髪取り込み口に筒状体とは別体のリング要素を設けた毛髪保持具が記載されている。
【０００４】
【特許文献１】特開２００３−３３２１６号公報
【特許文献２】国際公開第００／５７７４４号パンフレット
【発明の開示】
【発明が解決しようとする課題】
【０００５】
特許文献１及び２に記載の毛髪保持具においては、前述の工夫により、筒状体への毛髪の取り込み性は向上しているが、筒状体への毛髪の取り込み時に、毛髪取り込み口近傍において毛髪に応力が集中し易く、しかも毛髪の破断に対して考慮されていなかった。その結果、毛髪がイレギュラーな形状に変形したり、破断するという問題があった。また、特許文献１記載の毛髪保持具では、毛髪取り込み口に設けるリング要素は楕円形状とされているが、特許文献１には、該リング要素と筒状体とを工業的に容易に一体化させるための方法や、それを達成するためのリング要素の具体的な形状も記載されていない。
【０００６】
従って、本発明の目的は、筒状体への毛髪の取り込み時に、毛髪取り込み口近傍において毛髪に応力が集中しても、毛髪がイレギュラーな形状に変形したり、破断し難いと共に、筒状体と取り込み口補強部材との一体化が容易な毛髪保持具を提供することにある。
【課題を解決するための手段】
【０００７】
本発明は、一端部に毛髪取り込み口を有する筒状体からなる細長形状の毛髪保持具であって、前記毛髪取り込み口には、直筒部を有する取り込み口補強部材が、該直筒部を該毛髪取り込み口の内周面又は外周面に接合させて設けられており、前記取り込み口補強部材における毛髪が取り込まれる側の端縁部の内周縁及び外周縁は、尖鋭部分を有していない毛髪保持具を提供することにより前記目的を達成したものである。
【発明の効果】
【０００８】
本発明の毛髪保持具によれば、筒状体への毛髪の取り込み時に、毛髪取り込み口近傍において毛髪に応力が集中しても、毛髪がイレギュラーな形状に変形したり、破断し難い。かつ、筒状体と取り込み口補強部材との一体化が容易である。
【発明を実施するための最良の形態】
【０００９】
以下本発明の毛髪保持具を、その好ましい一実施形態について、図面を参照しながら説明する。
本実施形態の毛髪保持具１は、図１に示すように、一端部に毛髪取り込み口４を有する筒状体２からなる細長形状の毛髪保持具であって、毛髪取り込み口４には、直筒部１４を有する取り込み口補強部材１３が、直筒部１４を毛髪取り込み口４に接合させて設けられており、取り込み口補強部材１３における毛髪Ｈが取り込まれる側（図２参照）の端縁部１５の内周縁１５Ａ及び外周縁１５Ｂは、尖鋭部分を有していない。
【００１０】
本実施形態の毛髪保持具１について詳述する。本実施形態の毛髪保持具１は、図１に示すように、毛髪挿入具３と組み合わされて用いられる。
毛髪保持具１は、細長筒形状の筒状体２を有し、可撓性材料から構成されている。そのため、筒状体２内に毛髪を挿入して保持できるようになっている。筒状体２は、円筒形で、一端部及び他端部５を有しており、各端部は開口している。一端部は毛髪取り込み口４となっている。他端部５からは毛髪挿入具３を引き出すことができるようになっている。筒状体２の長さは、処理すべき毛髪の長さに応じて適切な長さとされ、好ましくは処理すべき毛髪の長さよりも長くなっている。
【００１１】
毛髪保持具１の筒状体２を形成する材料としては、各種可撓性材料が用いられる。その例としては、不織布、多孔性又は非多孔性の樹脂フィルム、紙、金属板又はこれらの複合体などが挙げられ、具体的用途に応じて適切な材料が選択される。例えば、筒状体２内に挿入された状態の毛髪に対して筒状体２の外部から毛髪処理剤を施したいときには、該毛髪処理剤に対して透過性を有する材料を用いればよい。また、挿入されている毛髪のみに毛髪処理剤を施したいときには、該毛髪処理剤に対して非透過性を有する材料を用いればよい。本形態においては、毛髪処理剤に対して透過性を有する不織布を用いている。
【００１２】
筒状体２の毛髪取り込み口４には、取り込み口補強部材１３が設けられている。取り込み口補強部材１３は、直筒部１４と毛髪Ｈが取り込まれる側の端縁部１５とからなる。
直筒部１４は、均厚の円筒形となっている。直筒部１４の厚さ、長さ、横断面積等は、毛髪の取り込み性や毛髪の保持力等を考慮して適宜設定されるが、例えば以下に示す範囲が好ましい。
直筒部１４の厚さは、好ましくは０．３ｍｍ〜１ｍｍである。直筒部１４の長さは、好ましくは５ｍｍ〜２５ｍｍである。直筒部１４の内周面１４Ａの横断面積は、好ましくは３０ｍｍ2〜２０００ｍｍ2である。
【００１３】
端縁部１５は、直筒部１４の横断面中心から外方に向けて鍔状に延出している。詳細には、端縁部１５の縦断面形状は、毛髪が取り込まれる側に凸の半円弧形状となっている。端縁部１５の厚さ、直筒部１４の内周面１４Ａからの端縁部１５の最外周縁までの距離等は、毛髪の取り込み性や毛髪の保持力、毛髪保持具１の把持性等を考慮して適宜設定されるが、例えば以下に示す範囲が好ましい。
端縁部１５の厚さは、好ましくは１ｍｍ〜１０ｍｍである。直筒部１４の内周面１４Ａからの端縁部１５の最外周縁までの距離は、好ましくは２ｍｍ〜１０ｍｍである。
【００１４】
取り込み口補強部材１３としては、毛髪取り込み口４の剛性を高くするために、筒状体２の素材よりも高剛性の素材から形成されていることが好ましく、そのような素材としては、例えば、ポリエチレンテレフタレート（ＰＥＴ）、ポリエチレン（ＰＥ）、ポリプロピレン（ＰＰ）等の熱可塑性樹脂が挙げられる。
取り込み口補強部材１３は、フィルムの深絞り成形、射出成形等により形成することができるが、本実施形態においては、適度な剛性が得られる点で、ＰＥＴフィルムを用い、深絞り成形により形成されている。
【００１５】
取り込み口補強部材１３の端縁部１５の内周縁１５Ａ及び外周縁１５Ｂは、尖鋭部分を有していない。尖鋭部分を有さないようにするには、通常、内周縁１５Ａ及び外周縁１５Ｂに丸みや面取りを設ける。本実施形態においては、ＰＥＴフィルムを深絞り成形することにより、端縁部１５の内周縁１５Ａ及び外周縁１５Ｂに丸みを設けてある。
【００１６】
端縁部１５の内周縁１５Ａ及び外周縁１５Ｂに丸みの大きさは、毛髪の変形や破断を防止できる範囲で適宜設定できるが、例えば、Ｒ０．５〜Ｒ１０が好ましく、Ｒ１〜Ｒ５が更に好ましい。なお、Ｒは曲率半径を表し、数値の単位はｍｍである。
【００１７】
また、取り込み口補強部材１３は、適度な毛髪保持力を確保する上で、直筒部１４の横断面外方から中心に向けて平板の間に挟みこむように押圧して直筒部１４をその内周面１４Ａ同士が当接するまで変形させるのに要する変形力が、０．５Ｎ〜１０Ｎであることが好ましく、１Ｎ〜５Ｎであることが更に好ましい。
【００１８】
このような構成の取り込み口補強部材１３は、図１に示すように、その外周面１４Ｂを、筒状体２の毛髪取り込み口４の内周面４Ａに接合させて、毛髪取り込み口４に設けられている。その結果、取り込み口補強部材１３は、毛髪取り込み口４と一体化して、毛髪保持具１における毛髪の取り込み口を構成している。
【００１９】
筒状体２には、図１に示すように、その外周面に巻き上げ用糸６がスパイラル状に巻き付けられている。巻き上げ用糸６は、筒状体２内に挿入された状態の毛髪を、筒状体２ごと巻き上げる手段として用いられる。本出願において「巻き上げ」とは、毛髪に所定のくせ付けをすること全般を意味し、本来の巻き上げに加えて、例えば湾曲（スパイラル状の巻き上げ）や屈曲（ジグザグ状の巻き上げ）等も包含される。
【００２０】
巻き上げ用糸６は、筒状体２にスパイラル状に間欠的に設けられた複数の挿通孔７に挿通されている。挿通孔７は、筒状体２を正面から視たときに、長手方向の両側部に設けられている。各側部に設けられている各挿通孔７は所定間隔を置いて配列され、挿通孔列８Ａ，８Ｂを形成している。また、各挿通孔７は、筒状体２の高さ方向（長手方向）に関し、筒状体２の側面に沿って各挿通孔を順次結んだときにスパイラル状の軌跡を描くように配列されている。
【００２１】
各挿通孔７は近接して配された一対の小孔７Ａ，７Ｂからなる。小孔７Ａ，７Ｂは、巻き上げ用糸６が挿通できる程度に開孔している。巻き上げ用糸６は、その大部分が筒状体２の外周面に巻き付けられているが、一対の小孔７Ａ，７Ｂ間のみにおいて筒状体２の内周面に配されている。これによって巻き上げ用糸６は筒状体２の外周面に保持されることになる。
【００２２】
巻き上げ用糸６は、その一端が、筒状体２における最下端に位置する挿通孔７（図１では、挿通孔列８Ａの最下端）の位置において引き抜かれないようになされている。具体的には、巻き上げ用糸６の一端を筒状体２に固定することで、その引き抜きを防止している。
一方、筒状体２における最上端に位置する挿通孔７（図１では、挿通孔列８Ｂの最上端）においては、巻き上げ用糸６は自由状態になっている。これによって、巻き上げ用糸６の他端を引っ張ると、筒状体２は、スパイラル状に変形することになる（これについては更に後述する）。
巻き上げ用糸６は、これを引っ張って毛髪の巻き上げ操作を行うときに、引きちぎれない程度の強度及び巻き上げ操作を円滑に行い得る柔軟性を有していることが好ましい。
【００２３】
本発明の毛髪保持具と組み合わせて使用される毛髪処理剤としては、通常の毛髪処理に用いられるものであれば特に限定されず、例えば、パーマネント処理剤（１浴式）、トリートメント剤、スタイリング剤、染色剤が挙げられる。
【００２４】
次に、毛髪保持具１と組み合わせて用いられる毛髪挿入具３について説明する。毛髪挿入具３は、図１に示すように、細長形状の把持部９と、把持部９の先端に取り付けられたフック部１０とを備えている。フック部１０は、筒状体２内に挿入される毛髪を引っ掛けるために用いられ、変形可能になされている。また、毛髪挿入具３は、一本の線材から構成されている。詳細には、その一端に小ループ１１を形成し、その他端をこの小ループ１１に通すことで大ループからなるフック部１０を形成している。更に大ループの所定位置に小ループ１１を通過しない大きさの係止部１２が設けられている。
【００２５】
この毛髪挿入具３を使用するに際しては、フック部１０を毛髪を引っ掛け易い大きさまで広げて毛髪を引っ掛ける。把持部９を引っ張ることでフック部１０を縮める。この操作によってフック部１０は係止部１２で規制される大きさにまで縮められる。
【００２６】
毛髪挿入具３は、図１に示すように、毛髪挿入具３のフック部１０を筒状体２の毛髪取り込み口４側に向けて挿入された状態で使用される。使用に先立ち、毛髪挿入具３のフック部１０を、筒状体２の毛髪取り込み口４から突出させる。そして、フック部１０に所望量の毛髪を引っ掛け、この状態下に毛髪挿入具３の他端部から引き出されている毛髪挿入具３の把持部９を引っ張る。これによって、フック部１０に引っ掛けられている毛髪がフック部１０と共に筒状体２内に挿入される。
【００２７】
フック部１０が筒状体２内に引き入れられると、筒状体２内の所定位置において、フック部１０による毛髪の引っ掛けが解除され、毛髪は筒状体２内に円滑に挿入される。フック部１０は、筒状体２の他端部５を通じて筒状体２の外に引き出される。
【００２８】
次に、本実施形態の毛髪保持具１の一使用方法について、パーマネント処理を例にとり、図２（ａ）〜図２（ｄ）を参照しながら説明する。先ず図２（ａ）に示すように、筒状体２内に毛髪挿入具３を挿入し、そのフック部１０を、筒状体２の毛髪取り込み口４（取り込み口補強部材１３）から突出させる。そして、筒状体２の他端部５から、毛髪挿入具３の把持部９の端部を引き出す。この状態下に、毛髪挿入具３のフック部１０に所望量の毛髪Ｈを通して引っ掛ける。
【００２９】
次に、図２（ｂ）に示すように、筒状体２の毛髪取り込み口４付近の位置を一方の手（図示せず）で軽く押さえる。また筒状体２の他端部５から引き出されている毛髪挿入具３の把持部９の端部を他方の手（図示せず）で把持し、毛髪挿入具３を筒状体２の外に引き出す。その操作によって、フック部１０に引っ掛けられていた毛髪Ｈが首尾良く筒状体２内に挿入、収納される。筒状体２は、その全長が挿入すべき毛髪Ｈの長さよりも長くなっているので、毛髪Ｈは、その全長に亘って筒状体２内に挿入される。
【００３０】
次に、筒状体２の毛髪取り込み口４付近の位置を一方の手（図示せず）で軽く押さえる。この状態下に、図２（ｃ）に示すように、筒状体２の外周面に巻き付けられている巻き上げ用糸６の自由端を引っ張る。すると、図２（ｄ）に示すように、毛髪Ｈは、筒状体２と共にスパイラル状に巻き上げられて、小さく纏められる。
【００３１】
次に、この状態を保持するために、筒状体２から引き出されている巻き上げ用糸６の根元をクリップ（図示せず）で係止する。
この状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪Ｈに施される。
【００３２】
所定時間放置後、筒状体２に向けて第２のパーマネント処理剤（酸化剤）を付与し、再び所定時間放置する。これによって、筒状体２内に挿入されている毛髪Ｈに対して、その巻き上げ形態のパーマネントウエーブが掛けられる。その後、巻き上げ用糸６に取り付けられた前記クリップを外し、毛髪Ｈの巻き上げ状態を解除する。引き続き毛髪Ｈを筒状体２から取り出し、すすぎ洗いをし、更にシャンプー及びブローをする。
【００３３】
本実施形態の毛髪保持具１によれば、筒状体２への毛髪Ｈの取り込み時に、毛髪取り込み口４近傍において毛髪Ｈに応力が集中しても、毛髪Ｈがイレギュラーな形状に変形したり、破断し難い。かつ、筒状体２と取り込み口補強部材１３との一体化が容易である。
【００３４】
詳細には、本実施形態の毛髪保持具１においては、毛髪取り込み口４に直筒部１４を有する取り込み口補強部材１３が、直筒部１４を毛髪取り込み口４に接合させて設けられており、取り込み口補強部材１３における毛髪Ｈが取り込まれる側の端縁部１５の内周縁１５Ａ及び外周縁１５Ｂが、尖鋭部分を有していない。そのため、毛髪取り込み口４が適度な剛性を有することになり、筒状体２への毛髪Ｈの取り込みがスムーズである。また、毛髪Ｈを筒状体２の内部に挿入した後、取り込み口補強部材１３を横断面中心に向けて押圧することにより、取り込み口補強部材１３を変形させ、その直筒部１４で毛髪Ｈを十分な保持力をもって保持することができる。その結果、筒状体２に挿入された毛髪Ｈがずれ難く、位置決めし易い。
【００３５】
また、筒状体２への取り込み時に毛髪Ｈが取り込み口補強部材１３の端縁部１５に接触しても、その内周縁１５Ａ及び外周縁１５Ｂは尖鋭部分を有していないため、毛髪が破断し難い。
しかも、取り込み口補強部材１３の端縁部１５が外方に向けて鍔状に延出しているため、内周縁１５Ａ及び外周縁１５Ｂの丸みを大きくすることができると共に、鍔状に延出した端縁部１５を保持することができ、毛髪保持具１全体を掴み易い。更に、取り込み口補強部材１３を押圧したときに、鍔状に延出した端縁部１５により横断面中心向きの反発力が生じ、毛髪Ｈの保持力が一層向上する。
さらに、取り込み口補強部材１３は、直筒部１４を有しているため、筒状体２と接合しやすく、工業的に筒状体２との一体化が容易である。
【００３６】
次に、本発明の毛髪保持具における取り込み口補強部材の別の形態について説明する。別の形態の取り込み口補強部材については、主として、図１に示す実施形態の毛髪保持具における第１の形態の取り込み口補強部材とは異なる点を説明し、同じ構成については、同じ符号を付し、説明を省略する。特に説明しない点については、第１の形態の取り込み口補強部材についての説明が適宜適用される。
【００３７】
第２の形態の取り込み口補強部材１３は、図３に示すように、第１の形態の取り込み口補強部材１３に比して、端縁部１５が鍔状に延出した形状とはなっていない点が異なる。その他は、第１の形態の取り込み口補強部材１３と同じ構成を有している。
第２の形態の取り込み口補強部材１３を筒状体の毛髪取り込み口に備えた毛髪保持具によっても、鍔状に延出した端縁部に起因する効果を除き、図１に示す実施形態の毛髪保持具と同様の効果が奏される。
【００３８】
第３の形態の取り込み口補強部材１３は、図４に示すように、第１の形態の取り込み口補強部材１３の横断面を二分した形状を有する２個の補強部材片１６Ａ，１６Ｂから形成されている。
このような２個の補強部材片１６Ａ，１６Ｂからなる第３の形態の取り込み口補強部材１３を用いて、例えば以下に説明するように毛髪保持具を形成することができる。
【００３９】
図５に示すように、筒状体２の半周分を形成する一方の帯状シート２Ａにおける一端部に一方の補強部材片１６Ａを接合させて設ける。同様に、筒状体２の残り半周分を形成する他方の帯状シート２Ｂにおける一端部に他方の補強部材片１６Ｂを接合させて設ける。そして、一方の補強部材片１６Ａが設けられた一方の帯状シート２Ａと、他方の補強部材片１６Ｂが設けられた他方の帯状シート２Ｂとを、それらの両側縁部２１Ａ，２１Ｂで接合して筒状体２を形成する。その結果、一方の補強部材片１６Ａと他方の補強部材片１６Ｂとが組み合わさり、毛髪取り込み口４に第３の形態の取り込み口補強部材１３が設けられた毛髪保持具１が得られる。
【００４０】
即ち、この毛髪保持具１は、筒状体２が２枚の帯状シート２Ａ，２Ｂの両側縁部２１Ａ，２１Ｂを接合して形成されており、取り込み口補強部材１３が２枚の帯状シート２Ａ，２Ｂに対応して二分された形状を有する２個の補強部材片１６Ａ，１６Ｂからなり、補強部材片１６Ａ，１６Ｂが、それぞれ帯状シート２Ａ，２Ｂの一端部に設けられているものである。
【００４１】
このような構成の毛髪保持具１においては、筒状体２が形成される前の帯状シート２Ａ，２Ｂに、取り込み口補強部材１３を構成する補強部材片１６Ａ，１６Ｂを接合させてから、２枚の帯状シート２Ａ，２Ｂの両側縁部２１Ａ，２１Ｂを接合するだけで、筒状体の一端部（毛髪取り込み口）に取り込み口補強部材を挿入する工程を経ることなく、毛髪保持具を製造することができ、毛髪保持具の製造が容易である。
【００４２】
以上、本発明の好ましい実施形態について説明したが、本発明の毛髪保持具は、前述した実施形態に制限されることなく、本発明の趣旨を逸脱しない限り、適宜変更が可能である。
取り込み口補強部材は、その内周面を、筒状体の毛髪取り込み口の外周面に接合させて設けることもできる。取り込み口補強部材は、二重構造の筒状体の層間に挟んだ形態で接合させて設けることもできる。
【００４３】
取り込み口補強部材の直筒部の横断面形状は、円形状に制限されず、毛髪を取り入れることができれば、楕円形状や扁平形状でもよい。同様に、筒状体の横断面形状は、円形状に制限されず、楕円形状や扁平形状でもよい。
巻き上げ用糸の挿通孔の配置は適宜設定することができる。巻き上げ用糸がなくてもよい。筒状体の他端部が閉鎖されている形態とすることもできる。
【図面の簡単な説明】
【００４４】
【図１】図１（ａ）は、本発明の毛髪保持具の一実施形態及びそれと組み合わせて用いられる毛髪挿入具を示す斜視図で、図１（ｂ）は、図１（ａ）に示す毛髪保持具における毛髪取り込み口近傍の部分縦断面図である。
【図２】図２（ａ）〜図２（ｄ）は、図１（ａ）に示す毛髪保持具及び毛髪挿入具を用いた毛髪処理を順次示す斜視図である。
【図３】図３は、第２の形態の取り込み口補強部材を示す図で、（ａ）は斜視図、（ｂ）は部分縦断面図である。
【図４】図４は、第３の形態の取り込み口補強部材を示す斜視図である。
【図５】図５は、図４に示す第３の形態の取り込み口補強部材を備えた毛髪保持具の製造方法を模式的に示す斜視図である。
【符号の説明】
【００４５】
１  毛髪保持具
２  筒状体
２Ａ，２Ｂ  帯状シート
３  毛髪挿入具
４  毛髪取り込み口（一端部）
４Ａ  内周面
５  他端部
６  巻き上げ用糸
７  挿通孔
８Ａ，８Ｂ  挿通孔列
９  把持部
１０  フック部
１１  小ループ
１２  係止部
１３  取り込み口補強部材
１４  直筒部
１４Ａ  内周面
１４Ｂ  外周面
１５  端縁部
１５Ａ  内周縁
１５Ｂ  外周縁
１６Ａ，１６Ｂ  補強部材片
２１Ａ，２１Ｂ  両側縁部
【図１】
0004640803.tif 000002
【図２】
0004640803.tif 000003
【図３】
0004640803.tif 000004
【図４】
0004640803.tif 000005
【図５】
0004640803.tif 000006